(57)【要約】【課題】マルチキャスト情報を送信するシステムを提供する。【解決手段】無線ネットワークを介して端末４０にマルチキャスト情報を送信するサポートノード３０を有するシステムは、無線ネットワークによりサポートされているマルチキャストサービスを検出するサービス検出器５４と、否定的検出結果に応答して無線ネットワークに、グループとして端末３４〜３９と交信をするのではなく端末４０と個別に交信をするよう指示する交信指示器５５とを備える。端末４０は、マルチキャスト情報を送信するのに使用される個別ベアラを識別するためにサポートノードに送信されるアクセスポイント識別子を選択する識別子選択器４３と、ベアラセットアップメッセージ中のアクセスポイント識別子を検出する識別子検出器４４とを含む。サポートノード３０は、端末から受信したアクセスポイント識別子をベアラセットアップメッセージに供給する識別子供給器５６をさらに含む。【選択図】      図１
2005168006.tif 000002
【特許請求の範囲】
【請求項１】
サポートノード（３０）、無線ネットワーク制御装置（３３）および端末（４０）を含み、無線ネットワーク制御装置（３３）により制御される無線ネットワークを介してサポートノード（３０）から端末（４０）にマルチキャスト情報を送信するシステムであって、
無線ネットワークの少なくとも一部によりサポートされているマルチキャストサービスを検出するサービス検出器（５４）と、
否定的検出結果に応答して、無線ネットワークの少なくとも一部に、端末（４０）と個別に交信をするよう指示する交信指示器（５５）と
を含むことを特徴とするシステム。
【請求項２】
サポートノード（３０）が汎用パケット無線サービスサポートノードであり、マルチキャストサービスがマルチメディアブロードキャストマルチキャストサービスであり、否定的検出結果が、無線ネットワーク制御装置（３３）がマルチメディアブロードキャストマルチキャストサービスをサポートしていないことを示すものであり、端末（４０）がページングにより個別に交信されることを特徴とする請求項１に記載のシステム。
【請求項３】
少なくとも１つの端末（４０）が、
端末（４０）にマルチキャスト情報を送信するのに使用される個別ベアラを識別するためにサポートノードに送信されるアクセスポイント識別子を選択する識別子選択器（４３）と、
端末（４０）に送信されたベアラセットアップメッセージ中のアクセスポイント識別子を検出する識別子検出器（４４）と
を含み、サポートノード（３０）が、
端末（４０）から受信したアクセスポイント識別子を端末（４０）に送信されるベアラセットアップメッセージに供給する識別子供給器（５６）
を含むことを特徴とする請求項１に記載のシステム。
【請求項４】
アクセスポイント識別子が、マルチメディアブロードキャストマルチキャストサービスに使用されるネットワークサービスアクセスポイント識別子であり、ベアラセットアップメッセージが無線アクセスベアラセットアップメッセージであることを特徴とする請求項３に記載のシステム。
【請求項５】
サポートノード（３０）、無線ネットワーク制御装置（３３）および端末（４０）を含み、無線ネットワーク制御装置（３３）を介してサポートノード（３０）から端末（４０）にマルチキャスト情報を送信するシステムで使用するためのサポートノード（３０）であって、
無線ネットワーク制御装置（３３）によりサポートされているマルチキャストサービスを検出するサービス検出器（５４）と、
否定的検出結果に応答して、無線ネットワーク制御装置（３３）に、端末（４０）と個別に交信をするよう指示する交信指示器（５５）と
を含むことを特徴とするサポートノード（３０）。
【請求項６】
サポートノード（３０）、無線ネットワーク制御装置（３３）および端末（４０）を含み、無線ネットワーク制御装置（３３）を介してサポートノード（３０）から端末（４０）にマルチキャスト情報を送信するシステムで使用するためのサポートノードプロセッサプログラム製品であって、
無線ネットワーク制御装置（３３）によりサポートされているマルチキャストサービスを検出するサービス検出機能と、
否定的検出結果に応答して、無線ネットワーク制御装置（３３）に、端末（４０）と個別に交信をするよう指示する交信指示機能と
を含むことを特徴とするサポートノードプロセッサプログラム製品。
【請求項７】
サポートノード（３０）、無線ネットワーク制御装置（３３）および端末（４０）を含み、無線ネットワーク制御装置（３３）を介してサポートノード（３０）から端末（４０）にマルチキャスト情報を送信するシステムで使用するための端末（４０）であって、
端末（４０）にマルチキャスト情報を送信するのに使用される個別ベアラを識別するためにサポートノード（３０）に送信されるアクセスポイント識別子を選択する識別子選択器（４３）と、
端末（４０）に送信されたベアラセットアップメッセージ中のアクセスポイント識別子を検出する識別子検出器（４４）と
を含むことを特徴とする端末（４０）。
【請求項８】
サポートノード（３０）、無線ネットワーク制御装置（３３）および端末（４０）を含み、無線ネットワーク制御装置（３３）を介してサポートノード（３０）から端末（４０）にマルチキャスト情報を送信するシステムで使用するための端末プロセッサプログラム製品であって、
端末（４０）にマルチキャスト情報を送信するのに使用される個別ベアラを識別するためにサポートノード（３０）に送信されるアクセスポイント識別子を選択する識別子選択機能と、
端末（４０）に送信されたベアラセットアップメッセージ中のアクセスポイント識別子を検出する識別子検出機能と
を含むことを特徴とする端末プロセッサプログラム製品。
【請求項９】
サポートノード（３０）、無線ネットワーク制御装置（３３）および端末（４０）を含み、無線ネットワーク制御装置（３３）により制御される無線ネットワークを介してサポートノード（３０）から端末（４０）にマルチキャスト情報を送信するシステムで使用するための無線ネットワーク制御装置（３３）であって、
無線ネットワークの少なくとも一部によりサポートされているマルチキャストサービスを検出するサービス検出器と、
否定的検出結果に応答して、無線ネットワークの少なくとも一部に、端末（４０）と個別に交信をするよう指示する交信指示器と
を含むことを特徴とする無線ネットワーク制御装置（３３）。
【請求項１０】
サポートノード（３０）、無線ネットワーク制御装置（３３）および端末（４０）を含み、無線ネットワーク制御装置（３３）により制御される無線ネットワークを介してサポートノード（３０）から端末（４０）にマルチキャスト情報を送信するシステムで使用するための無線ネットワーク制御装置プロセッサプログラム製品であって、
無線ネットワークの少なくとも一部によりサポートされているマルチキャストサービスを検出するサービス検出機能と、
否定的検出結果に応答して、無線ネットワークの少なくとも一部に、端末（４０）と個別に交信をするよう指示する交信指示機能と
を含むことを特徴とする無線ネットワーク制御装置プロセッサプログラム製品。
【請求項１１】
無線ネットワーク制御装置（３３）により制御される無線ネットワークを介してサポートノード（３０）から端末（４０）にマルチキャスト情報を送信する方法であって、
無線ネットワークの少なくとも一部によりサポートされているマルチキャストサービスを検出するステップと、
否定的検出結果に応答して、無線ネットワークの少なくとも一部に、端末（４０）と個別に交信をするよう指示するステップと
を含むことを特徴とする方法。
【請求項１２】
サポートノード（３０）が汎用パケット無線サービスサポートノードであり、マルチキャストサービスがマルチメディアブロードキャストマルチキャストサービスであり、否定的検出結果が、無線ネットワーク制御装置（３３）がマルチメディアブロードキャストマルチキャストサービスをサポートしていないことを示すものであり、端末（４０）がページングにより個別に交信されることを特徴とする請求項１１に記載の方法。
【請求項１３】
少なくとも１つの端末（４０）において、端末（４０）にマルチキャスト情報を送信するのに使用される個別ベアラを識別するためにサポートノード（３０）に送信されるアクセスポイント識別子を選択するステップと、
サポートノード（３０）において、端末（４０）から受信したアクセスポイント識別子を、端末（４０）に送信されるベアラセットアップメッセージに供給するステップと、
少なくとも１つの端末（４０）において、端末（４０）に送信されたベアラセットアップメッセージ中のアクセスポイント識別子を検出するステップと
を含むことを特徴とする請求項１１に記載の方法。
【請求項１４】
アクセスポイント識別子が、マルチメディアブロードキャストマルチキャストサービスに使用されるネットワークサービスアクセスポイント識別子であり、ベアラセットアップメッセージが無線アクセスベアラセットアップメッセージであることを特徴とする請求項１３に記載の方法。
【発明の詳細な説明】
【技術分野】
【０００１】
本発明は、サポートノード、無線ネットワーク制御装置および端末を含み、無線ネットワーク制御装置により制御される無線ネットワークを介してサポートノードから端末にマルチキャスト情報を送信するシステムに関する。
【０００２】
そのようなシステムには、例えば、ユニバーサル移動電話システムや汎用パケット無線システムがある。
【背景技術】
【０００３】
従来技術のシステムは、広く一般に知られたものであり、サポートノード、無線ネットワーク制御装置および端末が、すべてマルチキャストサービスを扱うように構成されると定義する。それに加えて、マルチキャストチャネルを識別するためのグループ識別子も定義されている。サポートノードは、あるグループの端末にこのグループ識別子を知らせる。各端末は、サポートノードにこのグループ識別子を含むメッセージを返信することにより応答する。サポートノードは、このグループ識別子を無線ネットワーク制御装置にも提供する。マルチキャストチャネルを介して無線ネットワーク制御装置から端末に送信されたマルチキャスト情報は、そのグループの端末により受信され得、これは、それらの端末だけが、そのグループ識別子で識別されたこのマルチキャストチャネルを監視しているからである。
【０００４】
そのようなマルチキャストサービスは、サポートノードの一方の側と無線ネットワーク制御装置の間、およびサポートノードの他方の側に位置する非無線ネットワーク、ならびに無線ネットワーク制御装置と各端末の間に位置する無線ネットワークにおけるマルチキャスト情報の転送を最適化する。グループ識別子を使用できるようにするには、無線ネットワーク制御装置は、マルチキャストサービスを扱うように構成される必要がある。しかしながら、例えば国などの広大な地域にあるすべての無線ネットワーク制御装置を適応することは、時間を要し、高くつく。
【０００５】
知られているシステムは、特に、各無線ネットワーク（制御装置）がマルチキャストサービスを扱うように構成される必要があるため、不利である。
【発明の開示】
【発明が解決しようとする課題】
【０００６】
本発明の目的は、特に、無線ネットワーク（制御装置）が必ずしもマルチキャストサービスを扱うように構成される必要のない、前述のようなシステムを提供することである。
【課題を解決するための手段】
【０００７】
本発明によるシステムは、そのシステムが、
無線ネットワークの少なくとも一部によりサポートされているマルチキャストサービスを検出するサービス検出器と、
否定的検出結果に応答して、無線ネットワークの少なくとも一部に、端末と個別に交信をするよう指示する交信指示器と
を含むことを特徴とする。
【０００８】
サービス検出器および交信指示器を、例えばサポートノードに導入することにより、サポートノードは、無線ネットワーク制御装置が１つまたは複数のマルチキャストサービスをサポートしているかどうか検出することができ、無線ネットワーク制御装置が１つまたは複数のマルチキャストサービスをサポートしている場合には、サポートノードは、どの１つおよび／または複数のマルチキャストサービスが無線ネットワーク制御装置によりサポートされているか検出することができる。（無線ネットワーク制御装置が、マルチキャストサービスをサポートしていない、またはサポートノードによりサポートされていない別の異なるマルチキャストサービスをサポートしていることを示す）否定的検出結果に応答して、サポートノードは、無線ネットワーク制御装置に、グループとして端末と交信をするのではなく、端末と個別に交信をするように指示することができる。したがって、マルチキャスト情報は、無線ネットワーク制御装置が（同じ）マルチキャストサービスを扱うように構成されているかどうかに関わりなく配信され得る。
【０００９】
その結果、例えば、いわゆるホットスポットエリアに位置する無線ネットワーク制御装置だけが、マルチキャストサービスを扱うように構成される必要があり、これは、それらのホットスポットエリアは、例えば、スタジアムやショッピングセンターなどのように、マルチキャストサービスがマルチキャストチャネルを介して最も効率よく提供されることを必要とするからである。いわゆる非ホットスポットエリアに位置する無線ネットワーク制御装置は、マルチキャストサービスを扱うように構成される必要はなく、これは、それらの非ホットスポットエリアは、マルチキャストサービスが個別チャネルを介してより低い効率で提供されることを可能とするからである。特定のエリアで無線ネットワーク制御装置を構成しない場合、時間と金銭が有利に節約される。
【００１０】
無線ネットワーク制御装置がマルチキャストサービスを扱うように構成されており、マルチキャストチャネルの使用を可能としていたとしても、例えば、マルチキャスト情報が個別に配信される必要のある場合の、無線ネットワーク制御装置のマルチキャスト部分での機能不全の検出や、マルチキャスト情報が個別に配信される可能性のある場合の、マルチキャストサービスに加入するあまりに少数の端末の検出などのような、それ以外の検出も除外されない。
【００１１】
本発明によるシステムの一実施形態は、サポートノードが汎用パケット無線サービスサポートノードであり、マルチキャストサービスがマルチメディアブロードキャストマルチキャストサービスであり、否定的検出結果は、無線ネットワーク制御装置がマルチメディアブロードキャストマルチキャストサービスをサポートしていないことを示すものであり、端末がページングにより個別に交信されることを特徴とする。
【００１２】
汎用パケット無線サービスサポートノードの形のサポートノードは、例えば、無線ネットワーク制御装置に結合されたサービング汎用パケット無線サービスサポートノードと、サービング汎用パケット無線サービスサポートノードおよびコアネットワークに結合されたゲートウェイ汎用パケット無線サービスサポートノードなどの、２つ以上の部分をさらに含み得る。
【００１３】
本発明によるシステムの一実施形態は、少なくとも１つの端末が、
端末にマルチキャスト情報を送信するのに使用される個別ベアラを識別するためにサポートノードに送信される、アクセスポイント識別子を選択する識別子選択器と、
端末に送信されたベアラセットアップメッセージ中のアクセスポイント識別子を検出する識別子検出器と
を含み、サポートノードが、
端末から受信したアクセスポイント識別子を端末に送信されるベアラセットアップメッセージに供給する識別子供給器と
を含むことを特徴とする。
【００１４】
識別子選択器と識別子検出器とを端末に導入し、識別子供給器をサポートノードに導入することにより、端末は、アクセスポイント識別子を選択してそれをサポートノードに送信することができ、サポートノードは、このアクセスポイント識別子を受信し、個別ベアラを識別して端末にベアラセットアップメッセージを送信し、次いで、その端末に、マルチキャストサービスに使用される個別ベアラが通知される。
【００１５】
本発明によるシステムの一実施形態は、アクセスポイント識別子が、マルチメディアブロードキャストマルチキャストサービスに使用されるネットワークサービスアクセスポイント識別子であり、ベアラセットアップメッセージが無線アクセスベアラセットアップメッセージであることを特徴とする。
【００１６】
ネットワークサービスアクセスポイント識別子は、個別ベアラに使用される個別ネットワークサービスアクセスポイントを識別する。そのような個別ベアラは、例えば、個別周波数および／または個別タイムスロットおよび／または個別符号などの組み合わせにより定義される個別チャネルと例えば符合する。
【００１７】
本発明は、さらに、サポートノード、無線ネットワーク制御装置および端末を含み、無線ネットワーク制御装置を介してサポートノードから端末にマルチキャスト情報を送信するシステムで使用するためのサポートノードに関連する。
【００１８】
本発明によるサポートノードは、そのサポートノードが、
無線ネットワーク制御装置によりサポートされているマルチキャストサービスを検出するサービス検出器と、
否定的検出結果に応答して、無線ネットワーク制御装置に、端末と個別に交信をするよう指示する交信指示器と
を含むことを特徴とする。
【００１９】
本発明は、さらに、サポートノード、無線ネットワーク制御装置および端末を含み、無線ネットワーク制御装置を介してサポートノードから端末にマルチキャスト情報を送信するシステムで使用するためのサポートノードプロセッサプログラム製品に関連する。
【００２０】
本発明によるサポートノードプロセッサプログラム製品は、サポートノードプロセッサプログラム製品が、
無線ネットワーク制御装置によりサポートされているマルチキャストサービスを検出するサービス検出機能と、
否定的検出結果に応答して、無線ネットワーク制御装置に、端末と個別に交信をするよう指示する交信指示機能と
を含むことを特徴とする。
【００２１】
本発明は、サポートノード、無線ネットワーク制御装置および端末を含み、無線ネットワーク制御装置を介してサポートノードから端末にマルチキャスト情報を送信するシステムで使用するための端末にも関連する。
【００２２】
本発明による端末は、その端末が、
端末にマルチキャスト情報を送信するのに使用される個別ベアラを識別するためにサポートノードに送信される、アクセスポイント識別子を選択する識別子選択器と、
端末に送信されたベアラセットアップメッセージ中のアクセスポイント識別子を検出する識別子検出器と
を含むことを特徴とする。
【００２３】
また、本発明は、サポートノード、無線ネットワーク制御装置および端末を含み、無線ネットワーク制御装置を介してサポートノードから端末にマルチキャスト情報を送信するシステムで使用するための端末プロセッサプログラム製品にも関連する。
【００２４】
この端末プロセッサプログラム製品は、その端末プロセッサプログラム製品が、
端末にマルチキャスト情報を送信するのに使用される個別ベアラを識別するためにサポートノードに送信される、アクセスポイント識別子を選択する識別子選択機能と、
端末に送信されたベアラセットアップメッセージ中のアクセスポイント識別子を検出する識別子検出機能と
を含むことを特徴とする。
【００２５】
本発明によるサポートノード、本発明によるサポートノードプロセッサプログラム製品、本発明による端末、および本発明による端末プロセッサプログラム製品の実施形態は、本発明によるシステムの実施形態と符合する。
【００２６】
本発明は、さらに、サポートノード、無線ネットワーク制御装置および端末を含み、無線ネットワーク制御装置により制御される無線ネットワークを介してサポートノードから端末にマルチキャスト情報を送信するシステムで使用するための無線ネットワーク制御装置にも関連する。
【００２７】
本発明による無線ネットワーク制御装置は、その無線ネットワーク制御装置が、
無線ネットワークの少なくとも一部によりサポートされているマルチキャストサービスを検出するサービス検出器と、
否定的検出結果に応答して、無線ネットワークの少なくとも一部に、端末と個別に交信をするよう指示する交信指示器と
を含むことを特徴とする。
【００２８】
この場合、サービス検出器および交信指示器は、例えば、無線ネットワーク制御装置に導入され、これは、無線ネットワークの一部が１つまたは複数のマルチキャストサービスをサポートしているかどうか検出することができ、無線ネットワークの一部が１つまたは複数のマルチキャストサービスをサポートしている場合には、無線ネットワーク制御装置は、どの１つおよび／または複数のマルチキャストサービスがその無線ネットワークの一部によりサポートされているか検出することができる。この無線ネットワークの一部は、例えば、１つまたは複数の基地局、あるいは１つまたは複数の、いわゆる「ノードＢ」のような他のノードと符合する。（その無線ネットワークの一部が、マルチキャストサービスをサポートしていない、または無線ネットワーク制御装置によりサポートされていない別の異なるマルチキャストサービスをサポートしていることを示す）否定的検出結果に応答して、無線ネットワーク制御装置は、その無線ネットワークの一部に、グループとして端末と交信をするのではなく、端末と個別に交信をするように指示することができる。したがって、マルチキャスト情報は、無線ネットワーク制御装置により制御される無線ネットワーク全体が（同じ）マルチキャストサービスを扱うように構成されているかどうかに関わりなく配信され得る。
【００２９】
その結果、無線ネットワーク制御装置ごとに、その無線ネットワーク制御装置により制御される無線ネットワーク全体が（同時に）構成されることを要求されることなしに、その無線ネットワークの一部がマルチキャストサービスを扱うように構成することができる。
【００３０】
本発明は、さらに、サポートノード、無線ネットワーク制御装置および端末を含み、無線ネットワーク制御装置により制御される無線ネットワークを介してサポートノードから端末にマルチキャスト情報を送信するシステムで使用するための無線ネットワーク制御装置プロセッサプログラム製品にも関連する。
【００３１】
本発明による無線ネットワーク制御装置プロセッサプログラム製品は、その無線ネットワーク制御装置プロセッサプログラム製品が、
無線ネットワークの少なくとも一部によりサポートされているマルチキャストサービスを検出するサービス検出機能と、
否定的検出結果に応答して、無線ネットワークの少なくとも一部に、端末（４０）と個別に交信をするよう指示する交信指示機能と
を含むことを特徴とする。
【００３２】
また、本発明は、無線ネットワーク制御装置により制御される無線ネットワークを介してサポートノードから端末にマルチキャスト情報を送信する方法にも関連する。
【００３３】
本発明による方法は、その方法が、
無線ネットワークの少なくとも一部によりサポートされているマルチキャストサービスを検出するステップと、
否定的検出結果に応答して、無線ネットワークの少なくとも一部に、端末と個別に交信をするよう指示するステップと
を含むことを特徴とする。
【００３４】
本発明による方法の一実施形態は、サポートノードが汎用パケット無線サービスサポートノードであり、マルチキャストサービスがマルチメディアブロードキャストマルチキャストサービスであり、否定的検出結果が、無線ネットワーク制御装置がマルチメディアブロードキャストマルチキャストサービスをサポートしていないことを示すものであり、端末がページングにより個別に交信されることを特徴とする。
【００３５】
本発明による方法の一実施形態は、その方法が、
少なくとも１つの端末において、その端末にマルチキャスト情報を送信するのに使用される個別ベアラを識別するためにサポートノードに送信される、アクセスポイント識別子を選択するステップと、
サポートノードにおいて、端末から受信したアクセスポイント識別子を、端末に送信されるベアラセットアップメッセージに供給するステップと、
少なくとも１つの端末において、端末に送信されたベアラセットアップメッセージ中のアクセスポイント識別子を検出するステップと
を含むことを特徴とする。
【００３６】
本発明による方法の一実施形態は、アクセスポイント識別子が、マルチメディアブロードキャストマルチキャストサービスに使用されるネットワークサービスアクセスポイント識別子であり、ベアラセットアップメッセージが、無線アクセスベアラセットアップメッセージであることを特徴とする。
【００３７】
本発明は、特に、広い地域にあるすべての無線ネットワーク制御装置を、マルチキャストサービスを扱うことができるように構成することは時間を要し、高価であるという洞察に基づくものであり、特に、広い地域にある特定の無線ネットワーク制御装置および／または無線ネットワーク制御装置により制御される無線ネットワークの一部は、（同時に）適応される必要がなく、その場合、無線ネットワーク制御装置および／または無線ネットワークの一部がマルチキャストサービスをサポートしているか否かが検出される必要があり、マルチキャストサービスをサポートしているときは、マルチキャストチャネルが使用され、マルチキャストサービスをサポートしていないときは、個別のチャネルが使用されるという基本的な考えに基づくものである。
【００３８】
本発明は、特に、無線ネットワーク（制御装置）が必ずしもマルチキャストサービスを扱うように構成される必要のないシステムを提供するという問題を解決するものであり、特に、時間と金銭が節約され得るという点で有利である。
【００３９】
本発明の上記その他の態様は、以下で説明する実施形態を参照すれば明白になるであろう。
【発明を実施するための最良の形態】
【００４０】
本発明によるシステムで交換されるメッセージおよび情報の概要においては、端末をＡで示し、無線ネットワーク制御装置をＢで示し、サービング（汎用パケット無線システム）サポートノードをＣで示し、ゲートウェイ（汎用パケット無線システム）サポートノードをＤで示し、コアネットワークをＥで示す。この概要では、各矢印は以下のメッセージおよび情報を示す。
【００４１】
矢印１：端末Ａが、ゲートウェイサポートノードＤとのコンテキストシグナリングの交換を介して、（例えば、インターネットアクセスのために）デフォルトのベストエフォート型パケットデータプロトコルコンテキストを活動化する（この２方向矢印は、デフォルトのパケットプロトコルのセットアップについては、サービングサポートノードＣとゲートウェイサポートノードＤでコンテキスト情報を作成し、無線アクセスネットワークで無線アクセスベアラをセットアップするために、端末Ａとネットワークの間で両方向のコンテキストシグナリングが必要とされることを示す。サービングサポートノードＣ、ゲートウェイサポートノードＤ、無線ネットワーク制御装置Ｂ、端末Ａには、このコンテキストのための情報記憶があり、リソースがリンク上で予約される。端末Ａは、アップリンクで、サービス品質（この場合はベストエフォート型）を示す、パケットデータプロトコルコンテキストのセットアップを求める要求を送信する。ゲートウェイサポートノードＤは、ダウンリンク方向で、端末Ａに（個人の）インターネットプロトコルアドレスを提供する。これにより、サービングサポートノードＣの役割も、端末Ａによるパケットデータプロトコルコンテキストのセットアップを許可し、無線アクセスネットワーク（無線ネットワーク制御装置Ｂ）から無線ベアラのセットアップを要求することでもある。矢印１の後、端末Ａは、ゲートウェイサポートノードＤ（例えばインターネットなど、外部ネットワークへのゲートウェイ）との仮想レイヤ２リンクを持ち、端末Ａは、インターネットプロトコルアドレスを持つことになる）。
【００４２】
矢印２：端末Ａが、デフォルトのパケットデータプロトコルコンテキスト上でマルチメディアブロードキャストマルチキャストサービスを活動化するために、インターネットエンジニアリングタスクフォース（ＩＥＴＦ）インターネットマルチキャストグループ管理プロトコルジョイニングメッセージ（インターネットプロトコルバージョン４の場合）またはマルチキャストリスナー発見プロトコルジョイニングメッセージ（インターネットプロトコルバージョン６の場合）を送信する。
【００４３】
矢印３：ゲートウェイサポートノードＤとコアネットワークＥの間でシグナリング情報が交換される（ゲートウェイサポートノードＤは、ブロードキャストマルチキャストサービスセンタ（これは、例えば、コアネットワークＥの一部を形成し、あるいは、ゲートウェイサポートノードＤとコアネットワークの間に位置し、その場合このブロードキャストマルチキャストサービスセンタはＥで示すことができる）と対話して、マルチキャストサービスに参加しようとしているユーザがそうすることを許可されているかどうかチェックする。ゲートウェイサポートノードＤは、ブロードキャストマルチキャストサービスセンタに、マルチキャストサービスに参加しようとしている端末Ａに許可を与えるよう要求する。ゲートウェイサポートノードＤは、ブロードキャストマルチキャストサービスセンタに、モバイル加入者サービス統合ディジタルネットワーク番号（ＭＳＩＳＤＮ）または国際モバイル加入者識別情報（ＩＭＳＩ）を示し、ブロードキャストマルチキャストサービスセンタがＯＫを返す）。
【００４４】
矢印４：サービングサポートノードＣが、ゲートウェイサポートノードＤから、国際モバイル加入者識別情報（ＩＭＳＩ）のような端末Ａ識別情報およびサービス識別情報（インターネットプロトコルマルチキャストアドレスＩＰ  ＭＣ＠）を示すマルチメディアブロードキャストマルチキャストサービス通知を受信する。
【００４５】
矢印５：サービングサポートノードＣが、端末Ａに、サービス識別情報（ＩＰ  ＭＣ＠）および一時的モバイルグループ識別子（ＴＭＧＩ）を示すリクエストマルチメディアブロードキャストマルチキャストサービスコンテキスト活動化を送信する。
【００４６】
矢印６：端末Ａが、マルチメディアブロードキャストマルチキャストサービスのために、矢印４、５を介して、そのデフォルトの範囲から、またはコアネットワークＥにより提示された、リンクされたネットワークサービスアクセスポイント識別子（ＮＳＡＰＩ）に基づいて、特定のネットワークサービスアクセスポイント識別子（ＮＳＡＰＩ）を選択（すると共にこのネットワークサービスアクセスポイント識別子がそのマルチメディアブロードキャストマルチキャストサービスのためのものであることを記憶）し、サービス識別情報（ＩＰ  ＭＣ＠）および選択されたネットワークサービスアクセスポイント識別子（ＮＳＡＰＩ）を示すアクティベートマルチメディアブロードキャストマルチキャストサービスコンテキスト要求をサービングサポートノードＣに送信する。
【００４７】
矢印７：サービングサポートノードＣが、国際モバイル加入者識別（ＩＭＳＩ）を含むマルチメディアブロードキャストマルチキャストサービス通知応答を、ゲートウェイサポートノードＤに送信する。
【００４８】
矢印８：サービングサポートノードＣが、ゲートウェイサポートノードＤにマルチメディアブロードキャストマルチキャストサービスコンテキストの確立を要求し、コアネットワークＥが端末Ａでのこのサービスの活動化を許可する。
【００４９】
矢印９：ゲートウェイサポートノードＤとコアネットワークＥの間でシグナリング情報が交換される（矢印９が存在するのは、端末Ａがパケットデータプロトコルレベルでも許可を必要とする可能性があるからである：矢印３が端末Ａをサービスレベルで許可するのに対し、矢印９は端末Ａをベアラレベルで許可する：ゲートウェイサポートノードＤが、モバイル識別情報（ＭＳＩＳＤＮ）を再送信し、例えばブロードキャストマルチキャストサービスセンタがＯＫの応答を送信する）。
【００５０】
矢印１０：ゲートウェイサポートノードＤと例えばブロードキャストマルチキャストサービスセンタとの間で、ゲートウェイサポートノードＤを越えて、すなわち、図１のゲートウェイサポートノードＤの右側で、ベアラがセットアップされる必要がある。
【００５１】
矢印１１：ゲートウェイサポートノードＤによるマルチメディアブロードキャストマルチキャストサービスコンテキストセットアップの成功時に、サービングサポートノードＣがクリエイトマルチメディアブロードキャストマルチキャストサービスコンテキスト応答を受信する。サービングサポートノードＣが、端末Ａを制御し、それと通信する無線ネットワーク制御装置Ｂがマルチメディアブロードキャストマルチキャストサービスをサポートしているかどうかチェックする。これは、無線ネットワーク制御装置Ｂとの通信を介して、または別のエンティティとの通信を介して、あるいは内部メモリをチェックすることによりなされる。マルチメディアブロードキャストマルチキャストサービスが無線ネットワーク制御装置Ｂによりサポートされていない場合には、サービングサポートノードＣは、従来技術のマルチメディアブロードキャストマルチキャストサービスの端末Ａリンク手順をスキップする。
【００５２】
矢印１２ａ、ｂ：サービングサポートノードＣが、（３ＧＰＰ  ＴＳ  ２３．８４６による）標準化登録手順を実施する。
【００５３】
矢印１３：サービングサポートノードＣが、マルチメディアブロードキャストマルチキャストサービスコンテキストの活動化成功を示すために、端末Ａに、アクティベートマルチメディアブロードキャストマルチキャストサービスコンテキスト受諾を送信する。
【００５４】
矢印１４ａ、ｂ、ｃ、ｄ：マルチメディアブロードキャストマルチキャストサービスセッションの開始時に、ゲートウェイサポートノードＤが、コアネットワークＥからセッション開始メッセージを受信する。ゲートウェイサポートノードＤが、サービングサポートノードＣにセッション開始を指示し、サービス識別情報（ＩＰ  ＭＣ＠）および一時的モバイルグループ識別情報（ＴＭＧＩ）を提供する。サービングサポートノードＣは、無線ネットワーク制御装置Ｂがマルチメディアブロードキャストマルチキャストサービスをサポートしていないことを知り、端末Ａに向けて専用ベアラをセットアップする必要があると決定する。
【００５５】
矢印１５ａ：サービングサポートノードＣは、無線ネットワーク制御装置Ｂに、サービス識別情報（ＩＰ  ＭＣ＠）により識別されるマルチメディアブロードキャストマルチキャストサービスを活動化しているすべての端末Ａと、例えば、国際モバイル加入者識別情報ＩＭＳＩ／Ｐ−ＴＭＳＩに基づく標準化ページング技術などを用いて、個別に交信をするよう指示する（Ｐ−ＴＭＳＩ＝パケットＴＭＳＩ＝一時的モバイルサービス識別情報、Ｐ−ＴＭＳＩは、国際モバイル加入者識別情報ＩＭＳＩの代替として働くようにネットワークにより端末Ａに割り当てられる一時的な識別子である。Ｐ−ＴＭＳＩは、セキュリティの理由のための一時識別子として存在し、すなわち、国際モバイル加入者識別情報ＩＭＳＩを常に送信することを回避し、一時的な擬似ランダム識別子であるＰ−ＴＭＳＩを使用する）。
【００５６】
矢印１５ｂ：端末Ａが、無線ネットワーク制御装置Ｂとのシグナリング接続のセットアップを要求する。
【００５７】
矢印１５ｃ：端末Ａが、サービングサポートノードＣに、マルチキャスト情報の受信が可能であることを示すサービス要求を送信する。
【００５８】
矢印１６：サービングサポートノードＣが、無線ネットワーク制御装置Ｂにおける個別ベアラのセットアップを要求する。ベアラ割り当て要求は、無線アクセスベアラ識別（ＲＡＢ  ＩＤ）を示す。無線アクセスベアラ識別（ＲＡＢ  ＩＤ）は、端末Ａにより特定のマルチメディアブロードキャストマルチキャストサービスセッションのために選択されたネットワークサービスアクセスポイント識別子（ＮＳＡＰＩ）を運ぶ。
【００５９】
矢印１７：無線ベアラセットアップで無線アクセスベアラ識別（ＲＡＢ  ＩＤ）が端末Ａに提供される。ネットワークサービスアクセスポイント識別子（ＮＳＡＰＩ）は、無線アクセスベアラ識別（ＲＡＢ  ＩＤ）により、無線ネットワーク制御装置Ｂを介して端末Ａに透過的に運ばれる。端末Ａは、ネットワークサービスアクセスポイント識別子（ＮＳＡＰＩ）を用いて、専用無線ベアラをリンクさせる必要のあるマルチメディアブロードキャストマルチキャストサービスを知る。端末Ａの内部プロトコルスタックでは、ネットワークサービスアクセスポイント識別子（ＮＳＡＰＩ）を用いて、専用無線ベアラ上に送信されたマルチメディアブロードキャストマルチキャストサービス情報が、インターネットプロトコルマルチキャスト／マルチメディアブロードキャストマルチキャストサービスアプリケーションプログラムインターフェイス（ＡＰＩ）へ、そしてこれゆえに、マルチメディアブロードキャストマルチキャストサービス／インターネットプロトコルマルチキャストアプリケーションに転送される（マルチメディアブロードキャストマルチキャストサービスを（転送最適化として）利用するアプリケーションは、インターネットプロトコルマルチキャストを知っているアプリケーションである。インターネットプロトコルマルチキャストは、ＩＥＴＦにより定義され、あらゆる種類のアクセスネットワーク上で実行することができる）。
【００６０】
矢印１８ａ：矢印１６の確認メッセージ。
【００６１】
矢印１８ｂ：矢印１６の確認メッセージ。
【００６２】
最後に、マルチキャスト情報が、ゲートウェイサポートノードＤと、サービングサポートノードＣと、無線ネットワーク制御装置Ｂを介して、コアネットワークＥから端末Ａに送信される。
【００６３】
図２に示す本発明によるシステムは、無線ネットワーク制御装置３３を介してサポートノード３０から端末４０にマルチキャスト情報を送信するための、本発明によるサポートノード３０および本発明による端末４０を含む。サポートノード３０は、サービング（汎用パケット無線サービス）サポートノード５０およびゲートウェイ（汎用パケット無線サービス）サポートノード６０を含む。
【００６４】
サポートノード５０は、プロセッサ５３、無線ネットワーク制御装置３３によりサポートされているマルチキャストサービスを検出するサービス検出器５４、否定的検出結果に応答して、端末４０と個別に交信をするよう無線ネットワーク制御装置３３に指示する交信指示器５５、端末４０から受信したアクセスポイント識別子を、その端末４０に送信されるベアラセットアップメッセージに供給する識別子供給器５６、メモリ５７およびモジュール５８を含むプロセッサシステムにも結合され、且つ相互に結合された第１のサポートインターフェイス５１および第２のサポートインターフェイス５２を含む。
【００６５】
ゲートウェイサポートノード６０は、プロセッサ６３、メモリ６４およびモジュール６５を含むプロセッサシステムにも結合され、且つ相互に結合された第１のゲートウェイインターフェイス６１および第２のゲートウェイインターフェイス６２を含む。第１のゲートウェイインターフェイス６１は、さらに、コアネットワークに結合され、第２のゲートウェイインターフェイス６２は、さらに、第１のサポートインターフェイス５１に結合される。第２のサポートインターフェイス５２は、さらに、無線ネットワーク制御装置３１〜３３に結合される。
【００６６】
無線ネットワーク制御装置３１は、いわゆるホットスポットエリア８１に位置し、マルチメディアブロードキャストマルチキャストサービスをサポートしている。マルチキャストチャネル７１を介して、無線ネットワーク制御装置３１は、端末３４〜３９にマルチキャスト情報を送信することができる。
【００６７】
無線ネットワーク制御装置３３は、いわゆる非ホットスポットエリア８３に位置し、マルチメディアブロードキャストマルチキャストサービスをサポートしていない。個別のチャネル７３を介して、無線ネットワーク制御装置３１は端末４０にマルチキャスト情報を送信することができる。
【００６８】
無線ネットワーク制御装置３１、３３と端末３４〜４０の間には、通常は、すべて図示しないが、基地局または（いわゆる「ノードＢ」のような）他のノードが存在し得る。
【００６９】
端末４０は、プロセッサ４２、端末４０にマルチキャスト情報を送信するのに使用される個別ベアラを識別するためにサポートノード３０に送信される、アクセスポイント識別子を選択する識別子選択器４３、端末４０に送信されたベアラセットアップメッセージ中のアクセスポイント識別子を検出する識別子検出器４４、メモリ４５およびモジュール４６を含むプロセッサシステムに結合された端末インターフェイス４１を含む。
【００７０】
従来技術の状況では、エリア８１における無線ネットワーク制御装置３１およびその無線ネットワークは、マルチキャストサービスをサポートし、マルチキャストチャネル７１を用いて端末３４〜３９にマルチキャスト情報を送信する。
【００７１】
本発明（第１のオプション）によれば、無線ネットワーク制御装置３３は、マルチキャストサービスをサポートせず、個別チャネル７３を用いて端末４０にマルチキャスト情報を送信する。その手順を以下に示す。
【００７２】
端末４０（図１の端末Ａ）が、ゲートウェイサポートノード６０（図１のゲートウェイサポートノードＤ）とのコンテキストシグナリングの交換を介して、（例えば、インターネットアクセスなどのために）デフォルトのベストエフォート型パケットデータプロトコルコンテキストを活動化する（図１の矢印１）。それに加えて、端末４０と無線ネットワーク制御装置３３の間では、図２に示されていない、例えばシグナリングチャネルが使用される。端末４０が、デフォルトのパケットデータプロトコルコンテキスト上で、マルチメディアブロードキャストマルチキャストサービスを活動化するために、シグナリングチャネルを介しておよび無線ネットワーク制御装置３３を介してゲートウェイサポートノード６０に、インターネットエンジニアリングタスクフォース（ＩＥＴＦ）インターネットマルチキャストグループ管理プロトコルジョイニングメッセージ（インターネットプロトコルバージョン４の場合）またはマルチキャストリスナー発見プロトコルジョイニングメッセージ（インターネットプロトコルバージョン６の場合）を送信する（図１の矢印２）。ゲートウェイサポートノード６０と、図２に示されていないコアネットワーク（図１のコアネットワークＥ）の間でシグナリング情報が交換される（図１の矢印３）。サービングサポートノード５０（図１のサービングサポートノードＣ）が、ゲートウェイサポートノード６０から、国際モバイル加入者識別情報（ＩＭＳＩ）のような端末４０識別情報、およびサービス識別情報（ＩＰ  ＭＣ＠）を示すマルチメディアブロードキャストマルチキャストサービス通知を受信する（図１の矢印４）。サービングサポートノード５０が、端末４０に、サービス識別情報（ＩＰ  ＭＣ＠）および一時的モバイルグループ識別子（ＴＭＧＩ）を示すリクエストマルチメディアブロードキャストマルチキャストサービスコンテキスト活動化を、無線ネットワーク制御装置３３およびシグナリングチャネルを介して送信する（図１の矢印５）。端末４０が、マルチメディアブロードキャストマルチキャストサービスのために、矢印４、５を介して、そのデフォルトの範囲から、またはコアネットワークにより提示された、リンクされたネットワークサービスアクセスポイント識別子（ＮＳＡＰＩ）に基づいて、特定のネットワークサービスアクセスポイント識別子（ＮＳＡＰＩ）を選択（すると共にこのネットワークサービスアクセスポイント識別子がそのマルチメディアブロードキャストマルチキャストサービスのためのものであることを記憶）し、シグナリングチャネルおよび無線ネットワーク制御装置３３を介して、サービングサポートノード５０に、サービス識別情報（ＩＰ  ＭＣ＠）および選択されたネットワークサービスアクセスポイント識別子（ＮＳＡＰＩ）を示す、アクティベートマルチメディアブロードキャストマルチキャストサービスコンテキスト要求を送信する（図１の矢印６）。サービングサポートノード５０が、国際モバイル加入者識別（ＩＭＳＩ）を含むマルチメディアブロードキャストマルチキャストサービス通知応答を、ゲートウェイサポートノード６０に送信する（図１の矢印７）。サービングサポートノード５０が、ゲートウェイサポートノード６０にマルチメディアブロードキャストマルチキャストサービスコンテキストの確立を要求し、コアネットワークが端末４０についてこのサービスの活動化を許可する（図１の矢印８）。ゲートウェイサポートノード６０とコアネットワークの間でシグナリング情報が交換される（図１の矢印９）。ゲートウェイサポートノード６０と、例えばブロードキャストマルチキャストサービスセンタとの間で、ゲートウェイサポートノード６０を越えて、ベアラがセットアップされる必要がある（図１の矢印１０）。ゲートウェイサポートノード６０によるマルチメディアブロードキャストマルチキャストサービスコンテキストセットアップの成功時に、サービングサポートノード５０がクリエイトマルチメディアブロードキャストマルチキャストサービス応答を受信する。サービングサポートノード５０が、端末４０を制御し且つ通信する無線ネットワーク制御装置３３がマルチメディアブロードキャストマルチキャストサービスをサポートしているかどうかチェックする。これは、無線ネットワーク制御装置３３との通信を介して、または別のエンティティとの通信を介して、あるいは内部メモリをチェックすることによりなされる。マルチメディアブロードキャストマルチキャストサービスが無線ネットワーク制御装置３３によりサポートされていない場合には、サービングサポートノード５０は、従来技術のマルチメディアブロードキャストマルチキャストサービスの端末４０リンク手順をスキップする（図１の矢印１１）。サービングサポートノード５０が、（３ＧＰＰ  ＴＳ  ２３．８４６による）標準化登録手順を実施する（図１の矢印１２ａ、ｂ）。サービングサポートノード５０が、マルチメディアブロードキャストマルチキャストサービスコンテキストの活動化成功を示すために、シグナリングチャネルを介して端末４０に、アクティベートマルチメディアブロードキャストマルチキャストサービスコンテキスト受諾を送信する（図１の矢印１３）。マルチメディアブロードキャストマルチキャストサービスセッションの開始時に、ゲートウェイサポートノード６０が、コアネットワークからセッション開始メッセージを受信する。ゲートウェイサポートノード６０が、サービングサポートノード５０にセッション開始を指示し、サービス識別情報（ＩＰ  ＭＣ＠）および一時的モバイルグループ識別情報（ＴＭＧＩ）を提供する。サービングサポートノード５０は、無線ネットワーク制御装置３３がマルチメディアブロードキャストマルチキャストサービスをサポートしていないことを知り、端末４０に向けて専用ベアラをセットアップする必要があると決定する（図１の矢印１４ａ、ｂ、ｃ、ｄ）。サービングサポートノード５０は、無線ネットワーク制御装置３３に、サービス識別情報（ＩＰ  ＭＣ＠）により識別されるマルチメディアブロードキャストマルチキャストサービスを活動化しているすべての端末４０と、例えば、図２には示されていないページングチャネルを介した国際モバイル加入者識別情報ＩＭＳＩ／Ｐ−ＴＭＳＩに基づく標準化ページング技術を用いて、個別に交信をするよう指示する（図１の矢印１５ａ）。端末４０が、シグナリングチャネルを介して無線ネットワーク制御装置３３との���グナリング接続のセットアップを要求する（図１の矢印１５ｂ）。端末４０が、サービングサポートノード５０に、シグナリングチャネルを介したマルチキャスト情報を受信する準備ができていることを示すサービス要求を送信する（図１の矢印１５ｃ）。サービングサポートノード５０が、無線ネットワーク制御装置３３における個別ベアラのセットアップを要求する。ベアラ割り当て要求は、無線アクセスベアラ識別（ＲＡＢ  ＩＤ）を示す。無線アクセスベアラ識別（ＲＡＢ  ＩＤ）は、端末４０により特定のマルチメディアブロードキャストマルチキャストサービスセッションのために選択されたネットワークサービスアクセスポイント識別子（ＮＳＡＰＩ）を運ぶ（図１の矢印１６）。シグナリングチャネルを介した無線ベアラセットアップで、無線アクセスベアラ識別（ＲＡＢ  ＩＤ）が端末４０に提供される。ネットワークサービスアクセスポイント識別子（ＮＳＡＰＩ）は、無線アクセスベアラ識別（ＲＡＢ  ＩＤ）により、無線ネットワーク制御装置３３を介し、シグナリングチャネルを介して端末４０に透過的に運ばれる。端末４０は、ネットワークサービスアクセスポイント識別子（ＮＳＡＰＩ）を用いて、専用無線ベアラをリンクさせる必要のあるマルチメディアブロードキャストマルチキャストサービスを知る。端末４０の内部プロトコルスタックでは、ネットワークサービスアクセスポイント識別子（ＮＳＡＰＩ）を用いて、専用無線ベアラ上に送信されたマルチメディアブロードキャストマルチキャストサービス情報が、インターネットプロトコルマルチキャスト／マルチメディアブロードキャストマルチキャストサービスＡＰＩに、そしてこれゆえに、マルチメディアブロードキャストマルチキャストサービス／インターネットプロトコルマルチキャストアプリケーションに転送される（図１の矢印１７）。矢印１６の確認メッセージが送信される（図１の１８ａ、ｂ）。最後に、マルチキャスト情報が、サポートノード３０から無線ネットワーク制御装置３３を介して端末４０に送信される。
【００７３】
好ましくは、それだけに限らないが、サポートノード３０は汎用パケット無線サービスサポートノードであり、マルチキャストサービスはマルチメディアブロードキャストマルチキャストサービスであり、否定的検出結果は無線ネットワーク制御装置３３がマルチメディアブロードキャストマルチキャストサービスをサポートしていないことを示し、端末４０はページングにより個別に交信され、アクセスポイント識別子は、マルチメディアブロードキャストマルチキャストサービスに使用されるネットワークサービスアクセスポイント識別子であり、ベアラセットアップメッセージは無線アクセスベアラセットアップメッセージである。
【００７４】
モジュール６５は、例えば、図１に示した矢印３、４、７、８、９、１０、１２ａ、１２ｂ、１４ａ、１４ｂ、１４ｃ、および１４ｄによるメッセージおよび情報（の一部）を処理する。モジュール５８は、例えば、図１に示した矢印４、５、６、７、８、１１、１２ｂ、１３、１４ｃ、１４ｄ、１５ａ、１５ｃ、１６、１８ａおよび１８ｂによるメッセージおよび情報（の一部）を処理する。モジュール４６は、例えば、図１に示した矢印１、２、５、６、１３、１５ｂ、１５ｃおよび１７によるメッセージおよび情報（の一部）を処理する。
【００７５】
代替として、かつ／またはそれに加えて、本発明（第２のオプション）によれば、無線ネットワーク制御装置は、マルチキャストサービスをサポートするが、この無線ネットワーク制御装置により制御される無線ネットワークの１つまたは複数の部分はサポートしない。これらの部分は、例えば、基地局またはいわゆる「ノードＢ」のような他のノードと符合する。その場合には、マルチキャストサービスをサポートしていない部分を介し、個別チャネルを用いて１つまたは複数の端末との交信がなされる。本発明による無線ネットワーク制御装置は、
無線ネットワークの少なくとも一部（基地局またはいわゆる「ノードＢ」のような他のノード）によりサポートされているマルチキャストサービスを検出するサービス検出器と、
否定的検出結果に応答して、無線ネットワークの少なくとも一部に、端末と個別に交信をするよう指示する交信指示器と
を含む。
【００７６】
この場合、サービス検出器および交信指示器は無線ネットワーク制御装置に導入され、これは、無線ネットワークの一部が１つまたは複数のマルチキャストサービスをサポートしているかどうか検出することができ、無線ネットワークの一部が１つまたは複数のマルチキャストサービスをサポートしている場合には、無線ネットワーク制御装置は、どの１つおよび／または複数のマルチキャストサービスがその無線ネットワークの一部によりサポートされているか検出することができる。（その無線ネットワークの一部が、マルチキャストサービスをサポートしていないこと、または無線ネットワーク制御装置によりサポートされていない別の異なるマルチキャストサービスをサポートしていることを示す）否定的検出結果に応答して、無線ネットワーク制御装置は、その無線ネットワークの一部に、グループとして端末と交信をするのではなく、端末と個別に交信をするように指示することができる。したがって、マルチキャスト情報は、無線ネットワーク制御装置により制御される無線ネットワーク全体が（同じ）マルチキャストサービスを扱うように構成されているかどうかに関わりなく配信され得る。
【００７７】
例えば、「送信するための」、「検出するための」、「指示するための」、「選択するための」、「供給するための」などにおける「ための（ｆｏｒ）」という表現は、同時であれ、別々であれ、他の機能もまた実施されることを除外するものではない。「Ｙに結合されたＸ」、「ＸとＹの間の結合」、「ＸとＹを結合する（こと）」などの表現は、ＸとＹの間に要素Ｚが介在することを除外するものではない。「ＰはＱを含む」、「Ｑを含むＰ」などの表現は、要素Ｒもまた含む／含まれることを除外するものではない。「ａ」および「ａｎ」という語は、１つ以上の複数の存在の可能性を除外するものではない。
【００７８】
検出するステップ、指示するステップ、選択するステップ、および供給するステップは、例えば、特に、図１および２に示す諸ステップのような、それ以外のステップを除外するものではない。図１では、本発明の範囲から逸脱することなく、例えば、代替のステップ、追加のステップ、組み合わされたステップおよび各ステップの代替の組み合わせなどのような代替が可能であろう。図２では、本発明の範囲から逸脱することなく、例えば、代替のプロセッサシステムおよび／またはインターフェイス、追加のプロセッサシステムおよび／またはインターフェイス、組み合わされたプロセッサシステムおよび／またはインターフェイス、およびプロセッサシステムおよび／またはインターフェイスの代替の組み合わせなどのような代替も可能であろう。図２では、サービス検出器５４、交信指示器５５、識別子供給器５６、モジュール５８、モジュール６５、識別子選択器４３、識別子検出器４４およびモジュール４６は、ハードウェアとすることも、ソフトウェアとすることも、両者の混合とすることも可能である。
【図面の簡単な説明】
【００７９】
【図１】本発明によるシステムで交換されるメッセージおよび情報の概要を示す図である。
【図２】本発明によるサポートノードと本発明による端末とを含む、本発明によるシステムを示す構成図である。
【符号の説明】
【００８０】
３０  サポートノード
３１〜３３  無線ネットワーク制御装置
３４〜４０  端末
４１  端末インターフェイス
４２、５３、６３  プロセッサ
４３  識別子選択器
４４  識別子検出器
４５、５７、６４  メモリ
４６、５８、６５  モジュール
５０  サービングサポートノード
５１  第１のサポートインターフェイス
５２  第２のサポートインターフェイス
５４  サービス検出器
５５  交信指示器
５６  識別子供給器
６０  ゲートウェイサポートノード
６１  第１のゲートウェイインターフェイス
６２  第２のゲートウェイインターフェイス
７１  マルチキャストチャネル
７３  個別チャネル
８１  ホットスポットエリア
８３  非ホットスポットエリア
【図１】
2005168006.tif 000003
【図２】
2005168006.tif 000004
【外国語明細書】
2005168006.tif 000005
2005168006.tif 000006
2005168006.tif 000007
2005168006.tif 000008
2005168006.tif 000009
2005168006.tif 000010
2005168006.tif 000011
2005168006.tif 000012
2005168006.tif 000013
2005168006.tif 000014
2005168006.tif 000015
2005168006.tif 000016
2005168006.tif 000017
2005168006.tif 000018
2005168006.tif 000019
2005168006.tif 000020
2005168006.tif 000021
2005168006.tif 000022
2005168006.tif 000023
2005168006.tif 000024
2005168006.tif 000025
2005168006.tif 000026
2005168006.tif 000027
2005168006.tif 000028
2005168006.tif 000029
2005168006.tif 000030
2005168006.tif 000031
2005168006.tif 000032
2005168006.tif 000033